【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
駆除装置本体と、
前記駆除装置本体を覆う外表面に粘着性材料が設けられた被覆部材と、
を有する飛翔性害虫駆除装置であって、
前記被覆部材は光吸収性の高い色とされ、
前記駆除装置本体は、曲面、又は、曲面と平面の組み合わせ、又は、隣接する面同士が平行でない少なくとも２面以上の平面のいずれかの形状で構成された立体形状を有している、
ことを特徴とする飛翔性害虫駆除装置。
【請求項２】
前記駆除装置本体の体積は、前記体積をＸとしたとき、１．０００ｍ３≧Ｘ≧０．００７ｍ３の範囲であることを特徴とする請求項１に記載の飛翔性害虫駆除装置。
【請求項３】
前記粘着性材料は、前記被覆部材の両面に設けられていることを特徴とする請求項１又は２に記載の飛翔性害虫駆除装置。
【請求項４】
前記粘着性材料の表面には剥離容易な被膜シートが設けられており、
前記駆除装置本体が前記被覆部材に覆われたとき、前記被覆部材の外側に位置する前記被膜シートは剥離されていることを特徴とする請求項１〜３のいずれかに記載の飛翔性害虫駆除装置。
【請求項５】
前記光吸収性の高い色は、黒色、濃紺色、紺色、深緑色、濃茶色、茶色、暗灰色又は灰色のいずれか又はこれらの組み合わせであることを特徴とする請求項１〜４のいずれかに記載の飛翔性害虫駆除装置。
【請求項６】
前記駆除装置本体には、電源供給手段に接続された発光体が設けられていることを特徴とする請求項１〜５のいずれかに記載の飛翔性害虫駆除装置。
【手続補正２】
【補正対象書類名】明細書
【補正対象項目名】全文
【補正方法】変更
【補正の内容】
【発明の詳細な説明】
【発明の名称】飛翔性害虫駆除装置
【技術分野】
【０００１】
この発明は、飛翔性害虫を駆除する飛翔性害虫駆除装置（以下、単に駆除装置という）に関し、詳しくは、駆除装置の形態を、家畜に擬態させることでより多くの害虫を捕獲、駆除することができる駆除装置に関する。
【背景技術】
【０００２】
従来、牛や豚等の家畜は、牛舎等の家畜場で飼育されている。この家畜場は、人間の家屋と違い、密閉されていないため、隙間が開いているものが多い。そのため、家畜の血を吸ったり、糞にたかったりする蝿や蚊等の空中を飛翔する害虫が侵入してしまう。この飛翔性の害虫に家畜の血を吸われると、家畜がストレスを受けることで品質が落ち、酪農業者が経済的な影響を受けることになる。また、飛翔性の害虫が飛び回ることで、伝染病の原因となるおそれもある。なお、害虫を駆除するために殺虫剤を用いることも考えられるが、家畜や人体に悪影響が出るので好ましくない。
【０００３】
そのため、このような害虫を駆除するために、下記特許文献１には、飛翔害虫捕獲用粘着シートの発明が開示されている。下記特許文献１の飛翔害虫捕獲用粘着シート３０では、図１１Ａに示すように、飛翔害虫を誘引するような形状、模様又はこれらの結合或いはこれらと色彩との結合が施されている。このようにすることで、下記特許文献１の飛翔害虫捕獲用粘着シート３０によれば、飛翔害虫捕獲用粘着シートに化学物質以外の手段で飛翔害虫を誘引することができるとされている。
【０００４】
また、下記特許文献２には、害虫捕獲容器及びそれを用いた害虫捕獲装置の発明が開示されている。下記特許文献２の害虫捕獲容器及びそれを用いた害虫捕獲装置では、基板に容器の底部を画成するよう折線を形成し、該折線を介して前面部、後面部を設け、該折線を折曲げた際上記底部の上方に上記前面部と後面部が間隔をあけて対向すると共に上方に開口する開口部が形成されるよう上記前面部と後面部を折畳可能に連結し、上記前面部の内側及び又は後面部の内側に捕虫用粘着剤層を形成され、内部に害虫誘引物体を収納したり、近傍に害虫を誘引する発光ダイオ−ド等の発光源を設けて害虫を捕獲するようにされている。このようにすることで、下記特許文献２の害虫捕獲容器及びそれを用いた害虫捕獲装置の発明によれば、内部に害虫誘引物体を収納したり、近傍に害虫を誘引する発光ダイオ−ド等の発光源を設け効果的に害虫を捕獲することができるとされている。
【先行技術文献】
【特許文献】
【０００５】
【特許文献１】特開２００２−０８４９５８号公報
【特許文献２】特開２００３−１８０２２１号公報
【特許文献３】米国デザイン特許第４９８８１２号公報
【発明の概要】
【発明が解決しようとする課題】
【０００６】
上記特許文献１の発明では、飛翔性害虫を誘引するような模様等を施したり、上記特許文献２の発明では、内部に害虫誘引物体を収納したり、近傍に害虫を誘引する発光ダイオ−ド等の発光源を設けたりすることで、害虫を誘引することで、効率的に捕獲することができる。
【０００７】
しかし、上記特許文献１の発明では、誘引する模様等が施されているのはシート状のものであり、飛翔性害虫、特に吸血性の飛翔性害虫が好む家畜の形状とは大きく異なるので、模様等のみでは多くの飛翔性害虫を誘引することは困難である。また、上記特許文献２の発明では、飛翔性害虫を誘引する誘引剤や発光源を用いているが、やはり、家畜と同様に誘引することは困難である。
【０００８】
なお、図１１Ｂに示すように、上記特許文献３には昆虫を捕獲するための立体形状で構成されたトラップ４０が開示されているが、このトラップ４０の立体形状では、単に捕獲する面積を増やしただけであり、飛翔性害虫、特に吸血性の飛翔性害虫が好む形状及び色とは異なるため、家畜と同様に誘引することは困難である。
【０００９】
発明者は、上記課題を解決するために種々検討を重ねた結果、飛翔性害虫を誘引する方法として、飛翔性害虫を捕獲する装置の形状を飛翔性害虫が好む家畜の形状に擬似させることで、従来のシート状のものや、単に誘引剤や発光源を用いるだけのトラップに比べてより飛翔性害虫を誘引することができることを見出し、本発明を完成するに至ったのである。
【００１０】
すなわち、本発明の目的は、低コストで容易に制作でき、且つ廃棄が容易であって、より多くの害虫を捕獲、駆除することができる駆除装置を提供することにある。
【課題を解決するための手段】
【００１１】
上記課題を解決するために、本発明の第１の態様の駆除装置は、
駆除装置本体と、
前記駆除装置本体を覆う外表面に粘着性材料が設けられた被覆部材と、
を有する飛翔性害虫駆除装置であって、
前記被覆部材は光吸収性の高い色とされ、
前記駆除装置本体は、曲面、又は、曲面と平面の組み合わせ、又は、隣接する面同士が平行でない少なくとも２面以上の平面のいずれかの形状で構成された立体形状を有している、
ことを特徴とする。
【００１２】
また、本発明の第２の態様の駆除装置は、前記第１の態様の駆除装置において、前記駆除装置本体の体積は、前記体積をＸとしたとき、１．０００ｍ３≧Ｘ≧０．００７ｍ３の範囲であることを特徴とする。
【００１３】
また、本発明の第３の態様の駆除装置は、前記第１又は２の態様の駆除装置において、前記粘着性材料は、前記被覆部材の両面に設けられていることを特徴とする。
【００１４】
また、本発明の第４の態様の駆除装置は、前記第３の態様の駆除装置において、前記粘着性材料の表面には剥離容易な被膜シートが設けられており、少なくとも前記駆除装置本体が前記被覆部材に覆われたとき、前記被覆部材の外側に位置する前記被膜シートは剥離されていることを特徴とする。
【００１５】
また、本発明の第５の態様の駆除装置は、前記第１〜４のいずれかの態様の駆除装置において、前記被覆部材は、黒色、濃紺色、紺色、深緑色、濃茶色、茶色、暗灰色又は灰色のいずれか又はこれらの組み合わせであることを特徴とする。
【００１６】
また、本発明の第６の態様の駆除装置は、前記第１〜５のいずれかの態様の駆除装置において、前記駆除装置本体には、電源供給手段に接続された発光体が設けられていることを特徴とする。
【発明の効果】
【００１７】
本発明の第１の態様の駆除装置では、駆除装置を形成する駆除装置本体は、曲面、又は、曲面と平面の組み合わせ、又は、隣接する面同士が平行でない少なくとも２面以上の平面のいずれかの形状で構成された立体形状を有しており、さらに、外表面に粘着性材料が設けられ、光吸収性の高い色とされた被覆部材で覆われているので、見た目が、略黒色でしかも牛や馬等の家畜に擬似した形状を得ることができるため、家畜に群がる飛翔性害虫をひきつけやすい構成となっている。そのため、本発明の第１の態様の駆除装置によれば、この駆除装置に群がった飛翔性害虫を効率的に捕らえることができるようになる。
【００１８】
また、本発明の第２の態様の駆除装置によれば、家畜の大きさにより近づけることができるので、より多くの害虫を捕獲することができるようになる。また、大きすぎると運搬が困難となり、小さすぎると配置する個数が多くなるので好ましくない。
【００１９】
また、本発明の第３の態様の駆除装置によれば、粘着性材料に大量の害虫を捕らえたのち裏返すことで、裏面でも害虫を捕獲することができるので、一枚の被覆部材でさらに効率よく害虫を捕獲することができ、また、費用の節約にもなる。
【００２０】
また、本発明の第４の態様の駆除装置によれば、被覆部材の両面に設けられた粘着性材料の表面に被膜シートが設けられているので、駆除装置の作成時に駆除装置本体を被覆部材で覆うときは両面の粘着性材料の表面は被膜シートで覆われているので、使用前の取り扱いが容易になる。また、外側に設けられた側の被膜シートを取り外すことで、はじめて粘着性材料が表面に現れるので、駆除装置の設置後に被膜シートを取り外すことで、搬送及び設置も容易になる。さらに、駆除装置本体側を覆っている粘着性材料の表面は、まだ被膜シートで覆われているので、一方の面の粘着力が低下した際、被覆部材を裏返し他方の面を表面に配置することが容易となり、また、他方の面を覆っている被膜シートを取り外すことで、再度、害虫を捕獲することができるようになる。
【００２１】
また、本発明の第５の態様の駆除装置によれば、見た目がより家畜に似させることができるので、より多くの害虫を捕獲することができるようになる。特に害虫が飛翔しながら、視覚により獲物を見極めるときに誘引し捕獲することを容易にする。このとき、最適な光吸収性の高い色は光吸収性が可視光中最大である黒色であり、適色としては光吸収性の高い黒色に近い色、たとえば、濃紺色、紺色、深緑色、濃茶色、暗灰色等であることが好ましく、また、これらの色を組み合わせてもよい。
【００２２】
また、本発明の第６の態様の駆除装置によれば、発光体、例えばＬＥＤ電球等により駆除装置を夜でも明るくすることができ、飛翔性害虫が駆除装置を視覚的に捕らえることができるので、昼夜問わず飛翔性害虫を誘引、捕獲が可能となる。
【図面の簡単な説明】
【００２３】
【図１】図１Ａは実施形態１に係る駆除装置の斜視図であり、図１Ｂは図１ＡのＩＢ−ＩＢ線での断面図であり、図１Ｃは図１ＢのＩＣ部の拡大図である。
【図２】図２は実施形態１の駆除装置を構成する部品を示す図であり、図２Ａは駆除装置本体の斜視図であり、図２Ｂは粘着性材料が設けられた被覆部材の斜視図である。
【図３】図３は実施形態１の駆除装置の他の形状を示す図であり、図３Ａは角柱体の駆除装置本体の斜視図であり、図３Ｂは角柱体の駆除装置の斜視図であり、図３Ｃは鞍型の駆除装置本体の斜視図であり、図３Ｄは鞍型の駆除装置の斜視図である。
【図４】図４は、さらに他の形状の駆除装置本体を示す斜視図である。
【図５】図５Ａ〜図５Ｃは本発明の駆除装置の実験結果を示す図である。
【図６】図６Ａは実施形態２の駆除装置本体を示す斜視図であり、図６Ｂは実施形態２の粘着性材料が設けられた被覆部材を示す平面図であり、図６Ｃは図６ＢのVIC−VIC線での断面図である。
【図７】図７Ａ〜図７Ｃは実施形態２の駆除装置の組み立て及び使用態様を示す斜視図である。
【図８】図８Ａ〜図８Ｃは実施形態２の駆除装置の使用態様の続きを示した斜視図である。
【図９】図９Ａは実施形態３の駆除装置の斜視図であり、図９Ｂは実施形態３の駆除装置の駆除装置本体の斜視図である。
【図１０】図１０Ａは使用例を示した斜視図であり、図１０Ｂは他の使用例を示した斜視図である。
【図１１】図１１Ａは従来例を示した平面図であり、図１１Ｂは他の従来例を示した斜視図である。
【発明を実施するための形態】
【００２４】
以下、図面を参照して本発明の実施形態を説明する。但し、以下に示す実施形態は、本発明の技術思想を具体化するための駆除装置を例示するものであって、本発明をこれに特定することを意図するものではなく、本発明は特許請求の範囲に含まれるその他の実施形態のものにも等しく適応し得るものである。
【００２５】
［実施形態１］
図１及び図２を参照して、実施形態１の駆除装置について説明する。実施形態１の駆除装置１０は、駆除装置の大きさ及び形状の基となる立体形状を有する駆除装置本体１１と、駆除装置本体１１が覆われる被覆部材１５と、この被覆部材１５の表面に設けられる粘着性材料１６とで構成されている。この駆除装置１０は、牛や豚等の家畜に群がる飛翔性の害虫を誘引し、粘着性材料１６によって捕獲し駆除するためのものである。飛翔性害虫とは主に家畜から血を吸う、例えばサシバエなどをいう。以下、駆除装置を構成する各部材について説明する。
【００２６】
駆除装置本体１１は、図２Ａに示すように、上面１２及び下面１３を有し側面１４が曲面状に形成された円柱体で形成されている。この形状は、側面の曲面と、上面及び下面の平面とを組み合わせた形状となっている。このとき、駆除装置本体１１の形状は、家畜の形状に擬似していることが好ましく、また、その大きさは、例えば家畜の大きさと誤認できる大きさ、駆除装置本体１１の体積をＸとしたとき、この体積が１．０００ｍ３≧Ｘ≧０．００７ｍ３程度とすると好ましい。なお、駆除装置本体１１の体積が１．０００ｍ３より大きいと、運搬や設置、組み立てに多くの労力が必要となる。一方、駆除装置本体１１の体積が、０．００７ｍ３より小さいと捕獲する飛翔性害虫の量が少なくなり、多くの駆除装置を設置する必要があり、上記と同様に運搬や設置、組み立てに多くの労力が必要となり、また、製作費用も高くなるおそれがある。なお、このときの体積Ｘは、駆除装置本体で形成される立体形状の内部空間のことをいう。
【００２７】
また、駆除装置本体１１は、駆除装置１０が屋外で使用されるものは、天候の変化に対応できる部材で形成されていることが好ましく、雨水に曝されても腐敗や錆が起こらないようなプラスチックや、防水や防腐等の加工がされた木材、あるいは防錆加工のされた金属、例えばステンレス等で形成されるようにする。また、屋内で使用されるものでは、これらの材料のほか、紙材で形成することができる。
【００２８】
次に、被覆部材１５は、駆除装置本体１１を覆うことができる大きさの一枚の風呂敷状に形成されている。この被覆部材１５は、駆除装置１０を覆ったとき、その外見が家畜に擬態しているように見えるようになされており、その色彩は、略黒色であることが好ましく、被覆部材１５は、光吸収性の高い色のビニール材で形成されている。すなわち、飛翔性害虫が最も誘引されるのは家畜であるので、その家畜に擬態するように駆除装置を形成することで、多くの飛翔性害虫を誘引し、捕獲することができるようになる。
【００２９】
このとき、被覆部材１５は吸血性の飛翔性害虫が本能的に好む色としており、被覆部材の色としては、黒色、濃紺色、紺色、深緑色、濃茶色、茶色、暗灰色などが好ましく、また、これらの色を組み合わせたものとしてもよい。なお、被覆部材の材質は、ビニール材に限らず、布材や紙材で形成するようにしてもよい。
【００３０】
粘着性材料１６は、飛翔性害虫を付着させて捕獲するためのものである。なお、粘着性材料１６は市販されているものを使用することができる。このとき、粘着性材料１６は液体状のものを塗布してもよく、また、シート状のものを被覆部材１５に貼るようにしてもよい。さらに、粘着性材料１６に飛翔性害虫を誘引する臭いやフェロモン等を混入するようにしてもよい。
【００３１】
次に、駆除装置１０の組み立てについて説明する。駆除装置１０の組み立ては、まず、駆除装置本体１１を作成する。実施形態１の駆除装置本体１１の形状は、上述したように円柱体である。この作り方は、上述した材質の板体を屈曲したり切断したりして形成する。なお、この、形状を有する公知のもの、例えば、ドラム缶や空き樽、空き箱、丸太等をそのまま用いてもよく、廃材等が利用でき、製造コストを抑えることができるとともに、リサイクルにも供することができる。
【００３２】
次に、形成された駆除装置本体１１に被覆部材１５を覆い被せる。このとき被覆部材１５は一枚の風呂敷状のものを用いているので、駆除装置本体１１を包み込むように覆い、被覆部材１５の端部を粘着性を有する物体、例えば粘着テープで貼り付けるようにする。なお、被覆部材１５は、一枚の風呂敷状のもののほか、駆除装置本体１１を覆うことができるもの、例えば、袋状に形成したもので包んでもよく、また、駆除装置本体の周囲に複数枚のシート体を貼り付けて覆うようにしてもよい。
【００３３】
次に、被覆部材１５の表面に粘着性材料１６を塗布する。この粘着性材料１６は、飛翔性害虫を捕獲するためのものであるので、被覆部材１５が表面に現れる部分に塗布するようにする。なお、駆除装置１０の上下面への粘着剤の塗布も可能である。以上で駆除装置１０の組み立てが完了する。その後、この駆除装置１０を家畜が飼育されている牛舎等の内部や近辺に配置して、飛翔性害虫の捕獲が開始される。
【００３４】
そして、飛翔性害虫の捕獲が開始された後、駆除装置１０の表面に一定量の飛翔性害虫が捕獲されたら、捕獲される場所が少なくなるとともに、粘着性材料１６の粘着力も低下してくるので、飛翔性害虫を被覆部材１５ごと廃棄し、新たな被覆部材１５を駆除装置本体１１に装着し上述したとおりに再度駆除装置を組み立てる。このとき、駆除装置本体１１は再利用ができるので駆除装置１０の作成費用を減らすことができるようになる。なお、被覆部材１５の取替えを容易に行うことができるように、被覆部材１５の一部に、粘着性材料を設けないようにしてもよい。
【００３５】
なお、上記実施形態１の駆除装置１０は、駆除装置本体１１が曲面と平面を組み合わせた円柱体で形成された場合を説明したが、これに限らず、駆除装置本体の立体形状が家畜と擬似し飛翔性害虫が誘引できるような形状であれば、曲面のみで形成したもの、平面のみで形成したもの、及び曲面と平面を組み合わせて形成した任意の形状で作成することができる。このとき、平面のみで形成する場合、隣接する面同士が平行でない少なくとも２面以上の平面であるとすることで、立体形状を形成することができる。
【００３６】
例えば、図３Ａには、駆除装置本体１１ａが角柱体で形成された駆除装置１０ａが示されている。この駆除装置本体１１ａは、隣接する面同士が平行でない少なくとも２面以上の平面で構成されている（図３Ｂ参照）。このような角柱体の形状は、空き箱や空きケース等簡単に入手できるので、簡単に且つ安価に立体形状を形成することができる。また、図３Ｃには、駆除装置本体１１ｂがいわゆる鞍型に形成された駆除装置１０ｂが示されている。この駆除装置本体１１ｂは、曲面と平面の組み合わせで形成されており、上部の曲面と下部の平面とで組み合わされた形状、詳しくは、２枚の矩形状の板体１１ｂ１，１１ｂ２が対称に立設して配置され、その上部に筒状体を半分にした曲面状の半筒状体１１ｂ３が載置され一体に形成されている（図３Ｄ参照）。このような形状とすることで、上部を家畜の背部、下部を家畜の腹部若しくは脚部と見立てることができより家畜に擬態させることができる。
【００３７】
また、図４Ａ〜図４Ｍには、その他の駆除装置本体の形状が例示されている。例えば、曲面のみで構成された駆除装置本体としては、図４Ａに示した円筒体や、図４Ｂに示した円錐体、図４Ｃに示した球状体、図４Ｄに示した半球体、図４Ｅに示した半円筒体（トンネル形状）などがある。
【００３８】
また、曲面と平面の組み合わせた構成の駆除装置本体としては、実施形態１に示した円柱体（図２Ａ参照）、上述した図３Ｄに示した鞍型、図４Ｆに示した中央部分が湾曲した鞍型がある。また、図４Ｂに示した円錐体や図４Ｄに示した半球体は、底面を考慮するとこの構成となる。
【００３９】
また、隣接する面同士が平行でない少なくとも２面以上の平面で構成された駆除装置本体としては、図４Ｇに示した角筒体や、図４Ｈに示した箱状体、図４Ｉに示した角錐体、図４Ｊに示した山型、図４Ｋに示した台形体、などがある。
【００４０】
また、他の例として、図４Ｌに示した駆除装置本体は、フレーム体で角柱体が形成されており、また、図４Ｍに示した駆除装置本体は、フレーム体で鞍型が形成されている。このようにフレーム体のみで駆除装置本体を形成するようにしてもよく、他の構成もフレーク体のみで形成するようにすることもできる。
【００４１】
以上のように形成された各駆除装置本体を実施形態１と同様に被覆部材で覆い、粘着剤を塗布することで、駆除装置を製造することができる。なお、図３及び図４に示した形状は一例である。また、同一形状や異なる形状の駆除装置本体を複数個組み合わせて用いてもよい。
【００４２】
ここで、立体形状に形成された駆除装置の飛翔性害虫の捕獲数の比較の実験結果を図５を参照して説明する。なお、この実験で使用した本発明の駆除装置は、黒色の立体形状として駆除装置本体を角柱状に形成したものを使用した。また、飛翔性害虫としては、家畜の血を吸うサシバエで行っている。
【００４３】
［実験１］
実験１での比較対象は、白色の平板に粘着シートを設けたものである。その結果を図５Ａに示す。この結果、黒色の立体形状の本発明の駆除装置は、サシバエを多く誘引し捕獲することができることがわかった。
【００４４】
［実験２］
実験２での比較対象は、黒色の平板に粘着シートを設けたものである。その結果を図５Ｂに示す。この結果、サシバエは、平板形状よりも立体形状の駆除装置に多く誘引され捕獲されることがわかった。
【００４５】
［実験３］
実験３の比較対象は、白色の立体形状のものである。その結果を図５Ｃに示す。この結果、サシバエは、白色の立体形状よりも黒色の立体形状の駆除装置に多く誘引され捕獲されることがわかった。
【００４６】
以上より、本発明の黒色の立体形状で形成された駆除装置は、優れた誘引力により、サシバエを大量に捕獲することができることがわかった。
【００４７】
［実施形態２］
実施形態１の駆除装置１０は、単に被覆部材に粘着性材料を塗布したものについて説明したが、実施形態２の駆除装置１０Ａでは、この被覆部材の両面に粘着性材料を塗布した両面の使用が可能な駆除装置について説明する。なお、実施形態１と共通する構成には同一の符号を付し、詳細な説明は省略する。
【００４８】
実施形態２の駆除装置本体１１は、図６Ａに示すように、実施形態１の駆除装置本体１１と同様に上面１２及び下面１３を有し側面１４が曲面状に形成された円柱体で形成されている。この駆除装置本体１１の大きさや材質についても実施形態１で述べたのと同様である。
【００４９】
また、実施形態２の駆除装置本体１１を覆う被覆部材１５Ａも、実施形態１と同様に、略黒色の一枚の風呂敷状に形成されたものである。しかし、実施形態２の被覆部材１５Ａは、図６Ｂ及び図６Ｃに示すように、被覆部材１５Ａの両面を使用するために、被覆部材１５Ａの両面に粘着性材料１６Ａａ、１６Ａｂが塗布されている。そして、被覆部材１５Ａの両面に設けられた粘着性材料１６Ａａ、１６Ａｂのそれぞれの上面側から粘着性材料に対して剥離が容易な材質で形成された被膜シート１７Ａａ、１７Ａｂで覆われている。なお、実施形態２の粘着性材料１６Ａａ、１６Ａｂにはシート状のものが用いられている。
【００５０】
次に、図７を参照して実施形態２の駆除装置１０Ａの組み立を説明する。実施形態２の駆除装置１０Ａの組み立ては、まず、図７Ａに示すように、上述した両面に粘着性材料が塗布され、その上面側が被膜シート１７Ａａ、１７Ａｂで覆われた被覆部材１５Ａで駆除装置本体１１を覆うことで行われる。このとき、被覆部材１５Ａが駆除装置本体１１を容易に覆うことができるように、被覆部材１５Ａの一部に差込み部１８Ａを形成し、被覆部材１５Ａで駆除装置本体１１を覆うとき、その差込み部１８Ａを嵌め込むことができる差込み穴１９Ａを被覆部材１５Ａに形成するようにしている。
【００５１】
また、粘着性材料１６Ａａ、１６Ａｂが設けられた被覆部材１５Ａを容易に取り扱うために、持ち手部２０Ａを形成している。なお、図７Ｂでは、円柱体の上面の被覆部材が省略されているが、上面にも同様に両面使用可能な被覆部材を設けることもできる。これは、側面を覆う被覆部材と一体に形成されていてもよく、また、別体で形成されていてもよい。その後、図７Ｂに示すように、駆除装置１０Ａの表面側に配置された被膜シート１７Ａａを取り外し、粘着性材料１６Ａａが現れるようにする。以上で、図７Ｃに示すように実施形態２の駆除装置１０Ａの組み立てが完了する。
【００５２】
次に、図８を参照して、組み立てた実施形態２の駆除装置１０Ａの使用態様を説明する。実施形態２の駆除装置１０Ａでは、上述したように被覆部材の両面が使用可能となっている。
【００５３】
まずは、組み立てが完了した駆除装置１０Ａを、家畜等のいる牛舎等に設置し飛翔性害虫の捕獲を行う。その後、しばらく放置した後、駆除装置１０Ａの表面に一定量の飛翔性害虫が捕獲されたら、被覆部材１５Ａを駆除装置本体１１から取り外し、被覆部材１５Ａの現在の状態から裏返し表側と裏側をひっくり返す（図８Ａ参照）。このとき、現在の表面には飛翔性害虫が捕獲され、また、しばらく時間も経過しているので、粘着剤の粘着力が弱まっている。なお、粘着性材料１６Ａａは、飛翔性害虫の捕獲により汚れるので、被覆部材１５Ａを裏返す時、粘着性材料１６Ａａがシート形状となっていることにより、被覆部材１５Ａから取り外し廃棄することができる。また、被覆部材に形成された持ち手部２０Ａを利用すると、作業者の手を汚すことを抑制することができる。
【００５４】
被覆部材１５Ａをひっくり返した後、図８Ｂに示すように再び駆除装置本体１１に装着する。この装着は、上述したとおりである。そして、新たに被覆部材１５Ａの表側に配置された側の被膜シート１７Ａｂを取り外し、もう一方の粘着性材料１６Ａｂが現れるようにする。このようにすることで、駆除装置１０Ａの被覆部材１５Ａの両面を使用することができるようになる（図８Ｃ参照）。
【００５５】
その後、駆除装置１０Ａを再度しばらく放置し、飛翔性害虫の捕獲を行い、現在の粘着性材料の表面に一定量の飛翔性害虫が捕獲されたら、被覆部材を取り外し、捕獲された飛翔性害虫と共に廃棄する。そして、使用が終わった被覆部材を取り外したら、駆除装置本体は繰り返し使用が可能であるので、この駆除装置本体に、新たな被覆部材を装着し、駆除装置として再度使用を行う。
【００５６】
なお、実施形態２の駆除装置１０Ａでは、駆除装置本体１１Ａの形状が円柱体の場合について説明したが、これに限らず、実施形態１で述べたのと同様に、駆除装置本体の立体形状が家畜と擬似し飛翔性害虫が誘引できるような形状であれば、曲面のみで形成したもの、平面のみで形成したもの、及び曲面と平面を組み合わせて形成した任意の形状で作成することができる。
【００５７】
［実施形態３］
次に、図９Ａ、図９Ｂを参照して、実施形態３の駆除装置について説明する。実施形態３の駆除装置１０Ｂでは、暗い場所、例えば、夜間や屋内等であっても使用可能な構成を備えている。なお、実施形態１と共通する構成には同一の符号を付し、詳細な説明は省略する。なお、実施形態３の駆除装置本体１１Ｂは、円柱体に形成されたものを用いて説明するが、その他の形状でも実施可能である。
【００５８】
実施形態３の駆除装置１０Ｂの駆除装置本体１１Ｂは、図９Ａに示すように実施形態１の駆除装置本体１１と同様に円柱体の駆除装置本体１１Ｂが使用されている。しかし、実施形態３の駆除装置本体１１Ｂには、駆除装置本体１１Ｂの上部に発光体、例えばＬＥＤ電球２１が備えられている。また、駆除装置本体１１Ｂの内部には電源供給手段としての、例えば乾電池や蓄電池（以下単に、「電池」という。）２２が備えられており、この電池２２とＬＥＤ電球２１は電線等の配線２３で接続されている（図９Ｂ参照）。そして、このＬＥＤ電球２１及び電池２２が設けられた駆除装置本体１１Ｂが被覆部材１５Ｂで覆われている。なお、実施形態３の被覆部材１５Ｂは、実施形態２で説明したのと同様の両面使用可能な被覆部材を用いているが、実施形態１で説明した風呂敷状の被覆部材を用いてもよい。また、発光体としては、ＬＥＤ電球のほか、白熱電球や蛍光灯などを用いることもできる。
【００５９】
このような構成を有する実施形態３の駆除装置１０Ｂでは、ＬＥＤ電球２１を設けることで夜間や暗い場所でも駆除装置１０Ｂに光を当て、家畜に擬態させた駆除装置１０Ｂを目立たせることができるので、飛翔性害虫を誘引させることができるようになる。また、ＬＥＤ電球２１を使用することで、発熱が少ないため、火災等を抑制することができる。このとき、実施形態３の駆除装置１０Ｂでは、電源供給手段としての電池に再充電が可能な蓄電池を用いることで繰り返し使用することができる。このとき、蓄電池に充電する方法としては、家庭用電源を用いたり、自然エネルギー、例えば、太陽光発電を利用したりすることができる。また、電源供給源として、電池を用いた例を示したが、これに限らず、家庭用電源のコンセントから配線を行い接続するようにしてもよい。
【００６０】
また、上記各実施形態の駆除装置には、駆除装置を吊り下げて使用することができるような吊り下げ部材、例えば吊り下げ紐２４を設けることもできる（図１０Ａ参照）。ここでは、上記実施形態２の駆除装置１０Ａを例示して説明するが、この吊り下げ紐２４は、駆除装置１０Ａの重さに耐えられる材料で形成され、駆除装置本体１１Ａの周囲の数箇所や中心部から所定長さの紐状体を取り付けられる。そして、この吊り下げ紐２４を建物の軒先等に吊るして駆除装置１０Ａを配置する。このように、駆除装置１０Ａを吊り下げて使用することで、駆除装置１０Ａの吊るす位置を任意に調節が可能となり、牛等の家畜の膝から背中までの高さに合わせて設置できるので、飛翔性害虫を最もよく捕獲できる。なお、図１０Ａでは、実施形態２の駆除装置１０Ａに吊り下げ紐２４を設けた場合を図示したが、他の実施形態１及び２に示した駆除装置１０、１０Ｂはもちろん、他の形状の駆除装置についても吊り下げ紐を設けることができる。さらに、駆除装置を吊り下げる吊り下げ部材は紐状のものに限らず、板状のものを設けてもよく、また、フック状の部材を駆除装置に設け、このフック状部材２５を任意の場所に吊り下げるようにしてもよい（図１０Ｂ参照）。
【符号の説明】
【００６１】
１０，１０Ａ，１０Ｂ…飛翔性害虫駆除装置
１１，１１Ａ，１１Ｂ…駆除装置本体
１２…上面
１３…下面
１４…側面
１５，１５Ａ，１５Ｂ…被覆部材
１６，１６Ａａ，１６Ａｂ…粘着性材料
１７Ａａ，１７Ａｂ…被膜シート
１８Ａ…差込み部
１９Ａ…差込み穴
２０Ａ…持ち手部
２１…ＬＥＤ電球
２２…電池
２３…配線
２４…吊り下げ紐
２５…フック状部材
【手続補正３】
【補正対象書類名】図面
【補正対象項目名】図２
【補正方法】変更
【補正の内容】
【図２】
2013153669.tif 000001